(57)【要約】【課題】部品数が少なく、しかも通気性に優れると共に、強度の高いウッドスプリング１を提供する。【解決手段】板体１１に、互いに平行な複数の有端スリット１１ｃを開設することによって、上方へ湾曲した複数の上向きばね板部１１１と下方へ湾曲した複数の下向きばね板部１１２がその幅方向に交互に並列すると共に両端が互いに連続して形成され、これら上向きばね板部１１１の長手方向中間部の下面及び下向きばね板部１１２の長手方向中間部の上面を交互に経由するように挿し込まれた桟１２が、上向きばね板部１１１及び下向きばね板部１１２を湾曲状態に保持してなる構造を備え、上向きばね板部１１１及び下向きばね板部１１２の両端部がベッドフレーム２等の支持体に支持される。【選択図】図３
2008093133.tif 000002
【特許請求の範囲】
【請求項１】
上方へ湾曲した複数の上向きばね板部と下方へ湾曲した複数の下向きばね板部がその幅方向に交互に並列すると共に両端が互いに連結され、これら上向きばね板部の長手方向中間部の下面及び下向きばね板部の長手方向中間部の上面を交互に経由するように延びる桟が、前記上向きばね板部及び下向きばね板部を湾曲状態に保持してなる構造を備え、前記上向きばね板部及び下向きばね板部の両端部が支持体に支持されることを特徴とするウッドスプリング。
【請求項２】
上向きばね板部及び下向きばね板部が、板体に、互いに平行な複数の有端スリットを開設することによって、互いに連続して形成されたことを特徴とする請求項１に記載のウッドスプリング。
【請求項３】
支持体がベッドフレームであることを特徴とする請求項１に記載のウッドスプリング。
【発明の詳細な説明】
【技術分野】
【０００１】
本発明は、ベッドの床張などに好適に用いられるウッドスプリングに関するものである。
【背景技術】
【０００２】
ベッドの床張にウッドスプリングを用いたものとして、従来から、下記の特許文献に開示されているようなものが知られている。
【０００３】
【特許文献１】特開２００２−１９１４７５号公報
【特許文献２】特開２０００−１５２８５２号公報
【特許文献３】特開平０８−１１７０６１号公報
【特許文献４】特開平０６−１８９８３９号公報
【０００４】
しかしながら、これらの特許文献１〜４に記載された従来技術によるウッドスプリングは、いずれも、多数の帯状板（板ばね）を所定間隔で並列配置してスノコ状に組み立てたものであるため、部品数や組立工数が多く、構造が複雑であった。しかも、このうち特許文献２〜４のものは、互いに連結された多数の板ばねが、すべて上方へアーチ状に湾曲しているため、良好な通気性を確保するには、隣接する各板ばねの設置間隔を大きくするか、又は各板ばねの幅を小さくする必要があり、その場合、一枚あたりの板ばねが負担する荷重が大きくなるので、強度的に問題を生じるおそれがある。
【発明の開示】
【発明が解決しようとする課題】
【０００５】
本発明は、以上のような点に鑑みてなされたものであって、その技術的課題とするところは、部品数が少なく、しかも通気性に優れると共に、強度の高いウッドスプリングを提供することにある。
【課題を解決するための手段】
【０００６】
上述した技術的課題を有効に解決するための手段として、請求項１の発明に係るウッドスプリングは、上方へ湾曲した複数の上向きばね板部と下方へ湾曲した複数の下向きばね板部がその幅方向に交互に並列すると共に両端が互いに連結され、これら上向きばね板部の長手方向中間部の下面及び下向きばね板部の長手方向中間部の上面を交互に経由するように延びる桟が、前記上向きばね板部及び下向きばね板部を湾曲状態に保持してなる構造を備え、前記上向きばね板部及び下向きばね板部の両端部が支持体に支持されるものである。なお、ここでいう「両端が互いに連結され」とは、別部材を介して結合した状態や、両端同士が連続した状態を含むものである。
【０００７】
上記構成を備えるウッドスプリングは、上方へ湾曲した複数の上向きばね板部及び下方へ湾曲した複数の下向きばね板部が、交互に並列した立体的な構造を有するため、これら上向きばね板部と下向きばね板部の間に、通気を促す大きな隙間が形成される。
【０００８】
また、このウッドスプリングは、両側の支持体間で下方への曲げ荷重が加えられると、上方へ湾曲した上向きばね板部は、曲率が小さくなる方向への変形力を受けるのに対し、下方へ湾曲した下向きばね板部は、前記曲げ荷重が桟を介して伝達されることにより、曲率が大きくなる方向への変形力を受ける。そしてこれらの変形力が、各上向きばね板部及び下向きばね板部の両端の連結部及び桟を介して互いに逆方向に作用するため、前記曲げ荷重に対する優れた強度を発揮することになる。
【０００９】
また、請求項２の発明に係るウッドスプリングは、請求項１に記載された構成において、上向きばね板部及び下向きばね板部が、板体に、互いに平行な複数の有端スリットを開設することによって、互いに連続して形成されたものである。このため、ウッドスプリングが、板体と桟の二部材のみで構成される。
【００１０】
また、請求項３の発明に係るウッドスプリングは、請求項１に記載された構成において、支持体がベッドフレームであることを特徴とする。
【発明の効果】
【００１１】
請求項１の発明に係るウッドスプリングによれば、通気性に優れると共に、強度の高い構造とすることができる。
【００１２】
請求項２の発明に係るウッドスプリングによれば、上向きばね板部及び下向きばね板部が互いに連続して板体をなすため、部品数を少なくしてコストを低減することができる。
【００１３】
請求項３の発明に係るウッドスプリングによれば、適度なばね性を有すると共に、通気性に優れ、しかも曲げ強度の高いベッド床張として、好適に用いることができる。
【発明を実施するための最良の形態】
【００１４】
以下、本発明に係るウッドスプリングの好ましい実施の形態について、図面を参照しながら説明する。まず図１は、本発明に係るウッドスプリングを単体で示す平面図、図２は、同じく斜視図である。
【００１５】
図１及び図２に示されるように、本発明に係るウッドスプリング１は、平面形状（鉛直方向の投影形状）が長方形をなす板体１１に、その長辺１１ａと平行に延びる複数（図示の例では五本）の有端スリット１１ｃを短辺１１ｂと平行な方向に対して等間隔で形成し、これら有端スリット１１ｃによって帯状に六分割された部分を上下へ交互に撓ませながら、板体１１の短辺１１ｂと同じ長さの帯板状の桟１２を、各有端スリット１１ｃの長手方向中間位置を経由して、前記短辺１１ｂと平行な方向へ通したものである。
【００１６】
そしてこのため、上方へ湾曲した複数の上向きばね板部１１１と下方へ湾曲した複数の下向きばね板部１１２が、その幅方向（短辺１１ｂと平行な方向）に交互に並列すると共に、両端が板体１１の短辺に沿った縁部１１３，１１３を介して互いに連続し、これら上向きばね板部１１１の長手方向中間部の下面及び下向きばね板部１１２の長手方向中間部の上面を交互に経由するように延びる桟１２が、上向きばね板部１１１及び下向きばね板部１１２を湾曲状態に保持してなる構造を備える。板体１１及び桟１２はいずれも、例えば厚さが12mm程度の針葉樹合板からなる。
【００１７】
次に、図３は、本発明に係るウッドスプリングを床張として用いたベッドを示す平面図、図４は、図３におけるIV−IV断面図、図５は、図３におけるＶ−Ｖ断面図である。すなわち、これら図３，図４及び図５に示されるベッドは、複数（図示の例では三枚）のウッドスプリング１と、これを支持する木製のベッドフレーム２とからなる。
【００１８】
図３に示されるように、ベッドフレーム２は、相対的に長い一対のサイドフレーム２１１と、相対的に短い一対のエンドフレーム２１２を、平面形状が長方形をなすように組んだ枠部２１と、その四隅に設けられた脚部２２と、枠部２１における各サイドフレーム２１１の内側面下部に設けられた一対の支持梁２３とからなる。
【００１９】
ベッドフレーム２における枠部２１の内法は、三枚のウッドスプリング１をその桟１２の延長方向へ並べたサイズより僅かに大きく、すなわちサイドフレーム２１１，２１１の内側面間の内法は、ウッドスプリング１の長辺１１ａの長さよりも僅かに大きく、エンドフレーム２１２，２１２の内側面間の内法は、ウッドスプリング１の短辺１１ｂの長さの３倍よりも僅かに大きいものとなっている。
【００２０】
ベッド床張としてのウッドスプリング１は、ベッドフレーム２の枠部２１内に、両側の短辺１１ｂがサイドフレーム２１１の内側面と対向するように設置される。そしてこの状態では、上向きばね板部１１１及び下向きばね板部１１２が、図３に示される平面形状においてエンドフレーム２１２と平行な方向へ延びており、その両側に位置する縁部１１３，１１３が、図５に示されるように、サイドフレーム２１１の内側面に設けられた支持梁２３，２３にそれぞれ支持される。
【００２１】
なお、ウッドスプリング１における板体１１の縁部１１３は、請求項１に記載された「上向きばね板部及び下向きばね板部の両端部」に相当する。
【００２２】
以上のように構成されたベッドは、ベッドフレーム２における枠部２１の内周に床張として三枚のウッドスプリング１を設置して支持梁２３により支持し、その上に、敷布団やマットレスなどの不図示の寝具を敷設して用いられる。
【００２３】
ここで、ウッドスプリング１は、上方へ湾曲した複数の上向きばね板部１１１と、下方へ湾曲した複数の下向きばね板部１１２が、交互に並列した構造を有するため、板体１１に開設した有端スリット１１ｃの幅自体は小さいものであっても、通気を促す大きな隙間が形成される。このため、ウッドスプリング１上に敷設したマットレスなどの寝具に、人体（使用者）の体表面からの発汗作用による湿気が蓄積されるのを、有効に防止することができる。
【００２４】
また、このウッドスプリング１は、使用者の体重によって、ベッドフレーム２の支持梁２３，２３間で下方への曲げ荷重が加えられると、上方へ湾曲した各上向きばね板部１１１は、曲率が小さくなる方向への変形力を受け、下方へ湾曲した下向きばね板部１１２は、桟１２を介して、曲率が大きくなる方向への変形力を受ける。そしてこれらの変形力が、各上向きばね板部１１１及び下向きばね板部１１２の両端の連結部（縁部１１３，１１３）及び桟１２を介して互いに逆方向に作用するため、曲げ荷重に対する優れた強度を発揮すると共に、適度な弾力性を有する。
【００２５】
しかも上述のように、板体１１に上向きばね板部１１１及び下向きばね板部１１２を形成するために開設した有端スリット１１ｃの幅自体は小さいもので良いため、このことも曲げ強度の向上に寄与する。
【００２６】
そして、ウッドスプリング１は、フラットな板体１１に開設した有端スリット１１ｃにより分割された部分を交互に上下に撓ませ、桟１２を挿し込むことによって立体構造にしたものであるため、板体１１及び桟１２の二部材のみで組み立てられ、しかも加工や組立工数も少ないことから、低コストで製造することができる。
【００２７】
また、本書では、説明の便宜上、「上向きばね板部」及び「下向きばね板部」の語句を用いて表現しているが、上向きばね板部１１１及び下向きばね板部１１２はウッドスプリング１の厚さ方向に対して互いに対称形状であり、このため例えば図１及び図２と表裏逆にした場合は、下向きばね板部１１２として示されている部分が上向きばね板部として機能し、上向きばね板部１１１と表現されている部分が下向きばね板部として機能することになる。したがって、ウッドスプリング１には実質的に表裏の別がないので、ベッドフレーム２への敷設を容易に行うことができる。
【００２８】
なお、図３及び図４には、三枚のウッドスプリング１をその桟１２の延長方向へ並べて床張としたベッドを例示したが、ウッドスプリング１のサイズを桟１２の長手方向へ延ばせば、二枚あるいは一枚のみで前記床張を構成することも可能である。
【図面の簡単な説明】
【００２９】
【図１】本発明に係るウッドスプリングの好ましい実施の形態を単体で示す平面図である。
【図２】図１のウッドスプリングを斜め上方から見た斜視図である。
【図３】本発明に係るウッドスプリングを床張として用いたベッドを示す平面図である。
【図４】図３におけるIV−IV断面図である。
【図５】図３におけるＶ−Ｖ断面図である。
【符号の説明】
【００３０】
１  ウッドスプリング
１１  板体
１１ｃ  有端スリット
１１１  上向きばね板部
１１２  下向きばね板部
１１３  縁部
１２  桟
２  ベッドフレーム（支持体）
２１  枠部
２１１  サイドフレーム
２１２  エンドフレーム
２２  脚部
２３  支持梁
【図１】
2008093133.tif 000003
【図２】
2008093133.tif 000004
【図３】
2008093133.tif 000005
【図４】
2008093133.tif 000006
【図５】
2008093133.tif 000007